(57)【要約】【課題】大きな発電出力を得ることができると共に、発電に要する電気が大きく節約でき、筒状態内に送風機を設けるだけの簡単な構造で、通常の風力発電、水力発電、原子力発電、地熱発電等のような大掛かりな設備を必要とせず、どこにでも移動設置可能な送風機発電装置を提供する。【解決手段】パイプ１内に強力な送風機２を備え、該送風機２の風排出側Ｙに発電器３・・・をそれぞれ備えた複数の送風機４・・・を設け、これら各発電器３・・・に充電器５を設けこの充電器５において前記送風機２のモータＭを駆動し、複数の送風機４・・・の各発電器３・・・により大量の発電出力を得るようにした。【選択図】図１
2015149881.tif 000002
【特許請求の範囲】
【請求項１】
パイプ１内の風吸入側Ｘに秒速５ｍ以上、風圧０．３Ｋｇ重量／ｍｓ２以上の送風機２を設け、該送風機２の風排出側Ｙに発電器３・・・をそれぞれ備え送風機２の風により回転駆動する複数の送風機４・・・を設ける０と共に、前記送風機２の電源側に充電器５を設け、前記複数の送風機４・・・の各発電器３・・・による発電を前記充電器５に供給するように接続し、この充電器５に前記送風機２のモータＭを駆動可能なだけ充電がなされたときに前記送風機２のモータＭの商用電源を遮断して充電器５の出力を送風機２のモータＭに接続する切換スイッチＳＷを設け、この充電器５により駆動する送風機２からの風により駆動される複数の送風機４・・・の各発電器３・・・により発電出力を得るようにした送風機発電装置。
【請求項２】
前記送風機２と送風機４間の部屋Ａ及び複数の送風機４間の部屋Ｂ・・・の風を風吸入方向へ漏洩しないように送風機２と送風機４の周囲がパイプ１内面にそれぞれシールドされている請求項１記載の送風機発電装置。
【発明の詳細な説明】
【発明の詳細な説明】
【技術分野】
【０００１】  本発明は、発電に要する電気量を節約するすると共に大量の発電を得ることができ、さらに簡単な構造で大掛かりな設備を必要とせずどこにでも移動設置可能な送風機発電装置に関するものである。
【背景技術】
【０００２】  例えば、特許文献１において、送風機１は、モータＭから供給される駆動力によって回転体１０を回転させて送風するものであり、電源ＳとモータＭとの間に配設され、モータＭを制御して回転体１０の回転数を制御する制御装置Ｃと、この制御装置Ｃに接続されたバッテリーＢとを備え、モータＭによる駆動力の供給を減じないし停止して回転体１０の回転速度を減速する際に、回転体１０が惰性で回転するときの慣性エネルギーによってモータＭで発電された電気エネルギーを制御装置Ｃを介してバッテリーＢに蓄積する。これにより、送風機の回転体の回転速度を減速する際に、慣性エネルギーを回生エネルギーとして回収して蓄積し、有効に活用できるようにした送風機が記載されている。【０００３】  しかしながら、この特許文献１においては、本発明のようにパイプ内の風吸入側Ｘに秒速５ｍ以上、風圧０．３Ｋｇ重量／ｍｓ２以上の送風機２を設けたものでなく、該送風機２の風排出側Ｙに発電器３・・・をそれぞれ備えた複数の送風機４・・・を設けたものでなく、前記送風機２により駆動される複数の送風機４・・・の各発電器３・・・により大量の発電を得るようにしたものではない。【０００４】  また、特許文献２には、扇風機の風の送られる下方に風力発電プロペラを取り付けることによって、電気代が節約されるように、その風力発電プロペラに送られた風が風力発電プロペラを回し、その回転したラジコンのモータ３の力が充電式単３電池４に充電されるように構成した扇風機であって、従来の扇風機は電気代が掛かったが扇風機の風の送られる下方に風力発電プロペラを取り付ける事によって、電気代が節約される製作できることが記載されている。【０００５】  しかしながら、この特許文献２においては、本発明のようにパイプ内の風吸入側Ｘに秒速５ｍ以上、風圧０．３Ｋｇ重量／ｍｓ２以上の強力な送風機２を備えておらず、前記送風機２により駆動される複数の送風機４・・・の各発電器３・・・により発電出力を得るようにしたものではなく、前記送風機２と送風機３間の部屋Ａ及び複数の送風機３間の部屋Ｂ・・・の風を風吸入方向へ漏洩しないように送風機２と送風機３の周囲がパイプ１内面にそれぞれシールドされているものでもないので、各送風機２と送風機３との風量、風力、風圧の損失のない送風機発電装置を得ることができない。【０００６】  また、特許文献３には、この送風機発電装置は強力な送風機を用いて、風車を回転させ、該回転を発電モータに伝えて、その回転で電気を起こすことを特徴とする送風機発電装置であって、放射能漏れや大気汚染の心配を無くし省エネで大きなクリーンなエネルギーを生みだし、大気に優しい発電ができる送風機発電装置が記載されている。【０００７】  しかしながら、特許文献３においては、本発明のように複数の送風機４・・・の各発電器３・・・の発電を前記充電器５に供給するように接続し、この充電器５において前記送風機２のモータＭを駆動可能なだけ充電がなされたときに前記送風機２のモータＭの電源を遮断して充電器５の出力を送風機２のモータＭに接続する切換スイッチＳＷを設け、商用電源への接続を切って送風機２により駆動される送風機４・・・の各発電器３・・・により大量の発電を得るようにしたものではない。【０００８】
【特許文献１】特開２００８−２９５２６７号公報
【特許文献２】特開２０１１−０６９３４５号公報、
【特許文献３】実開２０１３−０１１２６４号公報
【発明が解決しようとする課題】
【０００９】  本発明は、最初だけ商用電源により送風機２のモータＭを駆動し、その後送風機２のモータＭを駆動可能なだけ充電器５に充電がなされたときから充電器５により送風機２のモータＭを駆動することができ、発電に要する電気を極力節約して大量の発電することができ、筒状態内に送風機を設けるだけの簡単な構造であるので、大掛かりな設備を必要とせずどこにでも移動設置可能な送風機発電装置を提供する。
【課題を解決する手段】
【００１０】  請求項１の発明は、パイプ１内の風吸入側Ｘに秒速５ｍ以上、風圧０．３Ｋｇ重量／ｍｓ２以上の送風機２を設け、該送風機２の風排出側Ｙに発電器３・・・をそれぞれ備え送風機２の風により回転駆動する複数の送風機４・・・を設けと共に、前記送風機２の電源側に充電器５を設け、前記複数の送風機４・・・の各発電器３・・・による発電を前記充電器５に供給するように接続し、この充電器５に前記送風機２のモータＭを駆動可能なだけ充電がなされたときに前記送風機２のモータＭの商用電源を遮断して充電器５の出力を送風機２のモータＭに接続する切換スイッチＳＷを設け、この充電器５により駆動する送風機２からの風により駆動される複数の送風機４・・・の各発電器３・・・により発電出力を得るようにした送風機発電装置を提供するものである。
【００１１】  この発明においては、最初だけ商用電源により送風機２のモータＭを駆動し、その後送風機２のモータＭを駆動可能なだけ充電器５に充電がなされたときモータＭの商用電源を切って充電器５によりモータＭを駆動し、その後風速及び風圧の非常に高い送風機２により駆動する複数の送風機４・・・の各発電器３・・・により発電出力を得ることができると共に、発電に要する電気を大きく節約できる。好ましくは、秒速７ｍ以上、風圧０．４Ｋｇ重量／ｍｓ２以上である。
【００１２】  また、筒状態内に送風機を設けるだけの簡単な構造であるので、通常の風力発電、水力発電、原子力発電、地熱発電等のような大掛かりな設備を必要とせず、どこにでも移動設置可能である。
【００１３】また、請求項２の発明は、前記送風機２と送風機４間の部屋Ａ及び複数の送風機４・・・間の部屋Ｂ・・・の風を風吸入方向へ漏洩しないように送風機２と送風機３の周囲がパイプ１内面にそれぞれシールドされている請求項１記載の送風機発電装置を提供するものである。
【００１４】  この発明においては、前記送風機２と送風機４間の部屋Ａ及び複数の送風機４間の部屋Ｂ・・・の風を風吸入方向へ漏洩しないので、各送風機２と送風機４・・・との風量、風力、風圧の損失のない送風機発電装置を提供することができる。
【発明を実施するための形態】
【００１５】  以下に本発明の一実施形態を図面に基づき説明する。図１は本発明の一実施例を示す全体の断面視図、図２は送風機２の説明図、図３は送風機４・・の説明図である。
【００１６】  図１に示す如く、パイプ１内の風吸入側Ｘに秒速８．１ｍ、風圧０．５Ｋｇ重量／ｍｓ２の送風機２を備えている。この送風機２のモータＭは極（Ｐｏｌｅ）数を増やすことによって低馬力（省電力）で強力な回転力・送風効果が得られる。通常日本で市販の送風機は４極である。該送風機２の風排出側Ｙには発電器３・・・をそれぞれ備えた複数の送風機４・・・を設け、該送風機２の電源側に充電器５を設けている、前記複数の送風機４・・・の各発電器３・・・の発電を前記充電器５に供給するように接続し、この充電器５において前記送風機２のモータＭを駆動可能なだけ充電がなされたときに前記送風機２のモータＭの電源を遮断して充電器５の出力を送風機２のモータＭに接続する切換スイッチＳＷを設けている。そして、前記送風機２の風力により駆動される複数の送風機４・・・の各発電器３・・・により発電出力を得るようにしている。尚、図３において、６・・・は送風機２の羽根、７は送風機２のケーシングである。図２において、８・・・は送風機４・・・の羽根、９は送風機４・・・のケーシングである。
【００１７】  また、上記実施例において、送風機２は１個であるが、風排出側の送風機に対して複数の送風機２・・・を併設して風量を増強することもできる。また、上記実施例において、送風機４は２個であるが３個以上の送風機４設けてそれらの３個以上の発電器３・・・によりさらに多量の発電出力を得ることも当然できる。また、前記送風機４・・・の各発電器３・・・の発電は各羽根６・・・、８・・・の回転軸（図示せず）からギヤー比により回転数を高めて発電出力を増強させるこのもできる。
【００１８】  このようにして、最初だけ商用電源により送風機２のモータＭが駆動され、その後送風機２により駆動する複数の送風機４・・・の発電器３・・・の発電出力により送風機２のモータＭを駆動し、その後風速及び風圧の非常に高い送風機２により駆動する複数の送風機４・・・の各発電器３・・・により発電出力を得るようにする。
【００１９】  さらに、前記送風機２と送風機４間の部屋Ａ及び複数の送風機４・・・間の部屋Ｂ・・・の風を風吸入側へ漏洩しないように送風機２と送風機４・・・の周囲がパイプ１内面にそれぞれシールドされている。また、送風機２と送風機４・・・間の各間隔は各部屋Ａ，Ｂ・・・内に負圧が生じて送風機２と送風機４・・・の回転駆動に抵抗が生じたり、若しくは停止しないようにある程度の間隔を有して設置するようにしている。尚、図面１〜３においてパイプ１及び送風機２、４・・・ケーシング７、９・・・は四角形であるが、円形や多角形等であっても良い。
【発明の効果】
【００２０】  上記の如く本発明においては、最初だけ商用電源により送風機２のモータＭを駆動し、その後送風機２により駆動する複数の送風機４・・・の各発電器３・・・の発電出力により送風機２のモータＭを駆動し、その後風速及び風圧の非常に高い送風機２により駆動する複数の送風機４・・・の各発電器３・・・により発電出力を得ることができる。したがって、大きな発電出力を得ることができると共に、発電に要する電気が大きく節約できる。
【００２１】  また、筒状態内に送風機を設けるだけの簡単な構造であるので、通常の風力発電、水力発電、原子力発電、地熱発電等のような大掛かりな設備を必要とせず、どこにでも移動設置可能である。
【００２２】  さらに、前記送風機２と送風機４間の部屋Ａ及び複数の送風機４間の部屋Ｂの風を風吸入方向へ漏洩しないので、各送風機２と送風機４・・・との風量、風力、風圧の損失のない送風機発電装置を提供することができる。
【図面の簡単な説明】
【００２３】
【図１】  本発明の送風機発電装置の断面図
【図２】  送風機２斜視図
【図３】  送風機４・・・の斜視図
【符号の説明】１          パイプ
２          送風機（モーター付き）
３          発電器
４・・・    送風機（発電器付き）
５          充電器
６          送風機２の羽根
７          送風機２のケーシング
８          送風機４の羽根
９          送風機２のケーシング
Ｍ          モータ
ＳＷ        スイッチ
Ｐ          商用電源
Ｏ          発電出力
Ａ          送風機２と送風機４間の部屋
Ｂ・・・    複数の送風機４・・・間の部屋
【図１】
2015149881.tif 000003
【図２】
2015149881.tif 000004
【図３】
2015149881.tif 000005